(57)【要約】  無線操縦装置用の異なる型のバッテリ接続プラグに使用することができるユニバーサルバッテリコネクタ及びシステム。バッテリ及びユニバーサルバッテリプラグは、特別に設計されたアダプタプラグを通じてTraxxas製又はMolex製のバッテリ接続プラグに接続することができる。アダプタプラグは、ユニバーサルバッテリプラグに設けられたターミナルに接続するためのユニバーサル接点を備える。アダプタプラグは、Traxxas製又はMolex製のバッテリ接続プラグのいずれかを、滑り嵌めによって受け入れるアダプタターミナルを備える。
2012532415.tif 000002
【特許請求の範囲】
【請求項１】
導電性接点を有し、異なる種類のバッテリ接続プラグと共に使用することができる無線操縦装置用のユニバーサルバッテリコネクタシステムであって、
ユニバーサルバッテリプラグと、
ユニバーサルバッテリプラグを第１バッテリ接続プラグの導電性接点に導電的に連結するように構成された第１アダプタと、
ユニバーサルバッテリプラグを第２バッテリ接続プラグの導電性接点に導電的に連結するように構成された第２アダプタとを備え、
第１アダプタ及び第２アダプタの各々は、対応する導電性接点を受け入れるように構成されたアダプタターミナルと、ユニバーサルバッテリプラグに接続するように構成されたユニバーサル接点を備える、ユニバーサルバッテリコネクタシステム。
【請求項２】
第１アダプタは、滑り嵌めにより第１バッテリ接続プラグに受け入れられ、第１バッテリ接続プラグは、二つの導電性雄型接点を有する、請求項１に記載のシステム。
【請求項３】
第１バッテリ接続プラグは、Traxxas製のバッテリ接続プラグである、請求項２に記載のシステム。
【請求項４】
第２アダプタは、滑り嵌めにより第２バッテリ接続プラグに受け入れられ、第２バッテリ接続プラグは、二つの導電性雌型接点を有する、請求項１に記載のシステム。
【請求項５】
第２バッテリ接続プラグは、Molex製のバッテリ接続プラグである、請求項４に記載のシステム。
【請求項６】
ユニバーサルバッテリプラグを第三バッテリ接続プラグの導電性接点に導電的に連結するための第三アダプタをさらに備え、
第三アダプタは、導電性接点を受け入れるように構成されたアダプタターミナルと、ユニバーサルバッテリプラグに接続するように構成されたユニバーサル接点とを備え、
第三バッテリ接続プラグは、第三バッテリ接続プラグを滑り嵌めにより受け入れるように構成され、第三バッテリ接続プラグは、一つの導電性雄型接点と、一つの導電性雌型接点とを備える、請求項１に記載のシステム。
【請求項７】
ユニバーサルバッテリプラグは、第１アダプタ及び第２アダプタのユニバーサル接点に接続するように構成された、プラスユニバーサルターミナル及びマイナスユニバーサルターミナルを備える、請求項１に記載のシステム。
【請求項８】
ユニバーサルバッテリプラグは、ユニバーサルターミナルに設けられたバッテリ接点を備え、バッテリ接点は、バッテリのプラスバッテリターミナル及びマイナスバッテリターミナルを受け入れるように構成されている、請求項７に記載のシステム。
【請求項９】
アダプタターミナルは、プラスアダプタターミナルとマイナスアダプタターミナルとを備え、導電性接点は、プラス導電性接点とマイナス導電性接点とを備え、プラス導電性接点及びマイナス導電性接点は、対応するプラスアダプタターミナル及びマイナスアダプタターミナルと電気的に接続されるようになっている、請求項１に記載のシステム。
【請求項１０】
導電性接点を有し、異なる種類のバッテリ接続プラグと共に使用することができる無線操縦装置用のユニバーサルバッテリコネクタシステムであって、
ユニバーサルバッテリプラグと、
ユニバーサルバッテリプラグを、バッテリ接続プラグに設けられた二つの導電性雄型接点に導電的に連結するように構成された第１アダプタであって、第１バッテリ接続プラグを滑り嵌めで受け入れるように構成された第１アダプタと、
ユニバーサルバッテリプラグを、バッテリ接続プラグに設けられた二つの導電性雌型接点に導電的に連結するように構成された第２アダプタであって、第２バッテリ接続プラグを滑り嵌めで受け入れるように構成された第２アダプタとを備え、
第１アダプタ及び第２アダプタの各々は、対応する導電性雄型接点及び導電性雌型接点を受け入れるように構成されたアダプタターミナルと、ユニバーサルバッテリプラグに連結されるように構成されたユニバーサル接点とを備えるユニバーサルバッテリ接続システム。
【請求項１１】
第１バッテリ接続プラグは、Traxxas製のバッテリ接続プラグである、請求項１０に記載のシステム。
【請求項１２】
第２バッテリ接続プラグは、Molex製のバッテリ接続プラグである、請求項１０に記載のシステム。
【請求項１３】
ユニバーサルバッテリプラグを第三バッテリ接続プラグの導電性接点に導電的に連結するための第三アダプタをさらに備え、第三バッテリ接続プラグは、一つの導電性雄型接点と、一つの導電性雌型接点とを備え、第三アダプタは、導電性雄型接点及び導電性雌型接点を受け入れるように構成されたアダプタターミナルを備え、ユニバーサル接点は、ユニバーサルバッテリプラグに接続するように構成され、
第三バッテリ接続プラグは、第三バッテリ接続プラグを滑り嵌めにより受け入れるように構成されている、請求項１０に記載のシステム。
【請求項１４】
ユニバーサルバッテリプラグは、第１アダプタ及び第２アダプタのユニバーサル接点に接続するように構成されたプラスユニバーサルターミナル及びマイナスユニバーサルターミナルを備える、請求項１０に記載のシステム。
【請求項１５】
ユニバーサルバッテリプラグは、ユニバーサルターミナルに設けられたバッテリ接点を備え、バッテリ接点は、バッテリのプラスバッテリターミナル及びマイナスバッテリターミナルを受け入れるように構成されている、請求項１４に記載のシステム。
【請求項１６】
アダプタターミナルは、プラスアダプタターミナルとマイナスアダプタターミナルを備え、導電性接点は、プラス導電性接点及びマイナス導電性接点を備え、プラス導電性接点及びマイナス導電性接点は、対応するプラスアダプタターミナル及びマイナスアダプタターミナルと電気的に連結されている、請求項１０に記載のシステム。
【請求項１７】
導電性接点を有し、異なる種類のバッテリ接続プラグと共に使用することができる無線操縦装置用のユニバーサルバッテリコネクタシステムであって、
ユニバーサルバッテリプラグと、
ユニバーサルバッテリプラグをTraxxas製バッテリの接続プラグの二つの雄型導電性接点に導電的に連結するように構成された第１アダプタであって、Traxxas製バッテリの接続プラグを滑り嵌めにより受け入れるように構成された第１アダプタと、
ユニバーサルバッテリプラグをMolex製バッテリの接続プラグの二つの雌型導電性接点に導電的に連結するように構成された第２アダプタであって、Molex製バッテリの接続プラグを滑り嵌めにより受け入れるように構成された第２アダプタとを備え、
第１アダプタ及び第２アダプタの各々は、対応する雄型導電性接点及び雌型導電性接点を受け入れるように構成されたアダプタターミナルと、ユニバーサルバッテリプラグに接続するように構成されたユニバーサル接点を備える、ユニバーサルバッテリコネクタシステム。
【請求項１８】
ユニバーサルバッテリプラグを第三バッテリ接続プラグの導電性接点に導電的に連結するための第三アダプタをさらに備え、
第三アダプタは、雄型導電性接点及び雌型導電性接点を受け入れるように構成されたアダプタターミナルと、ユニバーサルバッテリプラグに接続するように構成されたユニバーサル接点とを備え、
第三バッテリ接続プラグは、第三バッテリ接続プラグを滑り嵌めにより受け入れるように構成されている、請求項１７に記載のシステム。
【請求項１９】
ユニバーサルバッテリプラグは、第１アダプタ及び第２アダプタのユニバーサル接点に接続するように構成された、プラスユニバーサルターミナル及びマイナスユニバーサルターミナルと、ユニバーサルターミナルに設けられたバッテリ接点とを備え、バッテリ接点は、バッテリのプラスバッテリターミナル及びマイナスバッテリターミナルを受け入れるように構成されている、請求項１７に記載のシステム。
【請求項２０】
アダプタターミナルは、プラスアダプタターミナルとマイナスアダプタターミナルとを備え、
導電性接点は、プラス導電性接点とマイナス導電性接点とを備え、
プラス導電性接点及びマイナス導電性接点は、対応するプラスアダプタターミナル及びマイナスアダプタターミナルと電気的に接続されるようになっている、請求項１７に記載のシステム。
【発明の詳細な説明】
【技術分野】
【０００１】
本発明は、無線操縦（R/C）装置用のバッテリコネクタに関する。より具体的には、本発明は、例えば、Traxxas（登録商標）製又はMolex（登録商標）製のプラグのような複数の異なるバッテリ接続プラグに接続するためのユニバーサルバッテリコネクタに関する。
【背景技術】
【０００２】
無線操縦ホビー市場は、人気があり成長が早い分野である。無線操縦娯楽市場において発生した問題の一つは、互換性がないように設計された、幾つかの競合するバッテリプラグの種類が存在することである。これは、Ａ型プラグを備えたバッテリは、Ａ型のプラグを採用している無線操縦装置でしか使用することができないことを意味する。Ｂ型プラグを備えたバッテリは、Ｂ型プラグを採用している無線操縦装置でしか使用することができない。プラグの型は互換性がなく、愛好家が無線操縦装置を購入した場合、愛好家は、各々の装置で使える異なる型の複数のバッテリを購入する必要がある。
【発明の概要】
【発明が解決しようとする課題】
【０００３】
娯楽及び玩具店は、このような互換性の無さによって、二つの異なるプラグ型の同じバッテリパックを取り扱わなければならない。要するに、バッテリ自体は同じであるが、バッテリのプラグの型が異なる。異なるブランドの無線操縦デバイスを販売・提供する小売店は、プラグの型に互換性があれば必要がない、余分なバッテリのストックを取り扱うことを迫られる。
【０００４】
本発明はこれらのニーズを満足し、他の関連する利点を提供する。
【課題を解決するための手段】
【０００５】
本発明は、無線操縦装置用のユニバーサルバッテリコネクタシステムに関する。システムは、異なる型の導電性接点を有する、異なる型のバッテリ接続プラグと共に使用できる。システムは、ユニバーサルバッテリプラグと、第一アダプタと、第二アダプタとを備える。第一アダプタ及び第二アダプタの各々は、異なる型のバッテリ接続プラグの対応する導電性接点を受け入れるように構成されたアダプタターミナルと、ユニバーサルバッテリプラグと接続するように構成されたユニバーサル接点とを備える。
【０００６】
第一アダプタは、ユニバーサルバッテリプラグを、第一バッテリ接続プラグの導電性接点に導電的に連結するように構成されている。好ましくは、第一アダプタは、二つの雄型導電性接点を有する第一バッテリ接続プラグを滑り嵌めにより受け入れるように構成されている。具体的には、第一バッテリ接続プラグは、Traxxas製のバッテリ接続プラグである。
【０００７】
第二アダプタは、ユニバーサルバッテリプラグを第二バッテリ接続プラグの導電性接点に導電的に連結するように構成されている。好ましくは、第二アダプタは、二つの雌型導電性接点を有する第二バッテリ接続プラグを滑り嵌めにより受け入れるように構成されている。具体的には、第二バッテリ接続プラグは、Molex製のバッテリ接続プラグである。
【０００８】
システムは、ユニバーサルバッテリプラグを、第三バッテリ接続プラグの導電性接点に導電的に接続するように構成された第三アダプタをさらに備える。第三アダプタは、導電性接点を受け入れるように構成されたアダプタターミナルと、ユニバーサルバッテリプラグに接続するように構成されたユニバーサル接点とを備える。第三バッテリ接続プラグは、第三バッテリ接続プラグを滑り嵌めにより受け入れるように構成され、第三バッテリ接続プラグは、一つの導電性雄型接点と、一つの導電性雌型接点とを備える。
【０００９】
ユニバーサルバッテリプラグは、第１アダプタ及び第２アダプタのユニバーサル接点に接続するように構成された、プラスユニバーサルターミナル及びマイナスユニバーサルターミナルを備える。ユニバーサルバッテリプラグは、ユニバーサルターミナルに設けられたバッテリ接点を備える。バッテリ接点は、バッテリのプラスバッテリターミナル及びマイナスバッテリターミナルを受け入れるように構成されている。
【００１０】
好ましくは、アダプタターミナルは、プラスアダプタターミナルとマイナスアダプタターミナルとを備え、導電性接点は、プラス導電性接点とマイナス導電性接点とを備える。この構成によれば、プラス導電性接点及びマイナス導電性接点は、対応するプラスアダプタターミナル及びマイナスアダプタターミナルと電気的に接続される。
【００１１】
添付図面に本発明を例示する。
【図面の簡単な説明】
【００１２】
【図１】本発明の好ましい実施形態のユニバーサルバッテリコネクタを示す。
【図２】図１のユニバーサルバッテリコネクタの分解図である。
【図３】図１のユニバーサルバッテリプラグの分解図を示す。
【図３Ａ】図３Aは、組み立てられたユニバーサルバッテリプラグの図３の線３A−３Aの断面図である。
【図４】図１のアダプタプラグの分解図である。
【図５】図１のアダプタプラグのアダプタターミナルを示す。
【図６】図１のアダプタプラグのユニバーサル接点を示す。
【図７】図１のアダプタプラグの側面図を示す。
【図８】図６の線８−８の断面図である。
【図９】図６の線９−９の断面図である。
【図１０】本発明のユニバーサルバッテリコネクタの他の実施形態を示す。
【図１１】図１０のユニバーサルバッテリコネクタの分解図である。
【図１２】図１０のユニバーサルバッテリコネクタのアダプタプラグの分解図である。
【図１３】図１０のアダプタプラグのアダプタターミナルを示す。
【図１４】図１０のアダプタプラグのユニバーサル接点を示す。
【図１５】図１０のアダプタプラグの側面図である。
【図１６】図１５の線１６−１６の断面図である。
【図１７】図１５の線１７−１７の断面図である。
【図１８】図１４の線１８−１８の断面図である。
【図１９】雄型導電性接点及び雌型導電性接点の様々な組合せを有するバッテリ接続プラグの様々な形態を示す。
【図２０】本発明のユニバーサルバッテリコネクタの他の実施形態を示す。
【図２１】図２０のユニバーサルバッテリコネクタの分解図である。
【図２２】図２０のアダプタプラグの分解図である。
【図２３】図２０のアダプタプラグのユニバーサル接点を示す。
【図２４】図２０のアダプタプラグのアダプタターミナルを示す。
【図２５】図２１の線２５−２５の断面図である。
【図２６】図２１の線２６−２６の断面図である。
【発明を実施するための形態】
【００１３】
例示目的の図面に示すように、本発明は、複数の異なるバッテリ接続プラグと接続するためのユニバーサルバッテリコネクタに関する。ユニバーサルバッテリコネクタを、添付図面において全体として参照番号２０で示す。
【００１４】
本発明によれば図１及び１０に示されているように、ユニバーサルバッテリコネクタ２０は、複数の異なるバッテリ接続プラグ２２，２４に接続されるように構成されている。図１は、ユニバーサルバッテリ接続プラグ２０がMolex製のバッテリ接続プラグ２２に連結されているのを示す。図１０は、ユニバーサルバッテリコネクタ２０が、Traxxas製のバッテリ接続プラグ２４と係合しているのを示す。上述したように、Molex製のバッテリ接続プラグ２２は、Traxxas製バッテリ接続プラグ２４と互換性がない構造を有している。従って、本発明のユニバーサルバッテリコネクタ２０は、Molex製のバッテリ接続プラグ２２又はTraxxas製のバッテリ接続プラグ２４の何れとも互換性があるR/Cデバイス用のバッテリ２１を提供するために考えられた。
【００１５】
図１−９は、Molex製バッテリ接続プラグ２２と互換性があるユニバーサルバッテリコネクタ２０を示す。この実施形態では、ユニバーサルバッテリコネクタ２０は、ユニバーサルバッテリプラグ２６と、アダプタプラグ２８とを備える。ユニバーサルバッテリプラグ２６は、ユニバーサルターミナル３２を包囲するハウジングを備える。図３に示すように、好ましくはユニバーサルターミナル３２は、ハウジング３０内に位置決めされたプラスターミナル３２aとマイナスターミナル３２bを備える。ユニバーサルターミナル３２の下には、付勢バネ３４が位置決めされている。付勢バネ３４の機能は、以下でより詳述する。
【００１６】
アダプタプラグ２８は、アダプタターミナル３８を包囲するアダプタハウジング３６を備える。好ましくはアダプタターミナルは、プラスターミナル３８aと、マイナスターミナル３８bとを備える。好ましくはプラス４０aと、マイナス４０bとを含むユニバーサル接点４０が、ハウジング３６によって部分的に包囲されている。ユニバーサル接点４０は、アダプタターミナル３８と物理的に接触しており、これらの間が電気的に接続されている。
【００１７】
アダプタハウジング３６と、ユニバーサルバッテリプラグハウジング３０は、協同的に係合するように構成されている。ユニバーサル接点４０は、ユニバーサルバッテリプラグハウジング３０の端部にあるスロット４２に係合するようになっている。スロット４２は、ユニバーサル接点４０を、ユニバーサルターミナル３２とターミナルバネ３４との間に位置決めする。スロット４２、及びユニバーサルターミナル３２とターミナルバネ３４との間にある間隙を、図３aにより明確に示す。ユニバーサル接点４０がスロット４２に入ると、ターミナルバネ３４は、ユニバーサル接点４０を押してユニバーサルターミナル３２と物理的に接触させる力を加える。この物理的接触により、二つの部品が電気的に接続される。
【００１８】
図４乃至９は、アダプタハウジング３６及びこれに関連する部品の構造を詳細に示す。アダプタターミナル３８は、一端に取り付けポスト４６を有する細長い本体４４を有する。取り付けポスト４６は、アダプタハウジング３６の接点開口４８内に位置決めされ、細長い本体４４が、アダプタハウジング３６のキャビティ５０内で延びるようになっている。ユニバーサル接点４０は、接点開口４８内に位置決めされるように、且つアダプタターミナル３８の取り付けポスト４６と係合するように構成された取り付けリング５２を備える。取り付けリング５２と取り付けポスト４６との間の接続は、半田付け又は電気的接点を固定するための他の一般的な方法によって固定されている。ユニバーサル接点４４は、上述した係合スロット４２と係合するように構成された接点脚５４を備える。
【００１９】
ユニバーサルバッテリ接続ハウジング３０と、アダプタハウジング３６は、二つのハウジングが協同的に係合したときにこれらを固定するためのタブ係合コネクタ５６を備える。二つのハウジングを互いに固定する目的を達成するために、他の一般的に用いられている固定方法を用いてもよい。
【００２０】
アダプタハウジング３６は、接点開口４８とは反対側の面にターミナル開口５８を備える。ターミナル開口５８は、Molex製バッテリ接続プラグ２２の導電接点６０を受け入れるように構成されている。Molex製のバッテリ接続プラグ２２では、両方の導電接点６０は、雌型構成を有し、一方が四角形断面６０aを有し、他方が半円形断面６０bを有する。導電接点は、アダプタハウジング３６の四角形ターミナル開口５８a、及び半円形ターミナル開口５８b内に嵌る。Molex製のバッテリ接続プラグ２２をアダプタハウジング３６にスライド嵌めすると、雌型導電接点６０は、雄型アダプタターミナル３８の取り付けポスト４６に係合する。導電接点６０と、ターミナル開口５８の具体的な形状によって、使用者は極性を間違えることなく連結することができる。
【００２１】
図１０−１８は、Traxxas製のバッテリ接続プラグ２４と互換性がある、ユニバーサルバッテリコネクタ２０の変形例を示す。この実施形態では、ユニバーサルバッテリプラグ２６は、上述したMolex製のバッテリ接続プラグ２２の実施形態のプラグと同一である。差異は、アダプタプラグ２８にある。
【００２２】
この実施形態では、図１１−１８に示すように、アダプタプラグ２８は、プラスターミナル６４aとマイナスターミナル６４bを有するアダプタターミナル６４を包囲するアダプタハウジング６２を有する。アダプタバネ６６が、アダプタターミナル６４の上に位置決めされている。
【００２３】
アダプタターミナル６４は、アダプタハウジングの一端にあるターミナル開口６８から反対側の端にある接点開口７０まで、アダプタハウジングを貫通して延びる、全体的に細長い本体で構成されている。アダプタターミナル６４は、アダプタターミナルの一部がプラス接点７２aとマイナス接点７２bを含むユニバーサル接点７２を構成するように、接点開口７０を貫通して延びている。これらのユニバーサル接点７２は、上述したユニバーサル接点４０と同様に、ユニバーサルバッテリプラグ２６のスロット４２と係合する。アダプタハウジング６２は、アダプタプラグ２８をユニバーサルバッテリプラグ２６との協同的な係合によって保持するタブロックコネクタ５６を備える。
【００２４】
アダプタプラグ２８の一面は、上述した先の実施形態のターミナル開口５８と同一の方法で機能するターミナル開口６８を備える。本実施形態では、ターミナル開口６８は、アダプタターミナル６４に適合するために、全体的に長方形状の開口で構成されている。ターミナル開口６８は、僅かに異なる寸法、即ち広い方６８aと、狭い方６８bを有し、Traxxas製のバッテリ接続プラグ２４が一定の方向でアダプタプラグ２８に係合することができるようになっている。導電接点７４は、ターミナル開口６８と整合するように、僅かに異なる寸法、即ち広い方７４aと狭い方７４bを有する。これは、取り付ける度に正確な極性が得られることを保証する。
【００２５】
Traxxas製のバッテリ接続プラグ２４を適合したプラグ２８に滑り嵌めしたとき、導電性接点７４は、アダプタターミナル６４とアダプタバネ６６との間に位置決めされる。アダプタバネ６６の付勢動作が、導電性接点７４をアダプタターミナル６４と物理的に接触させる。この方法で、導電性接点７４とアダプタターミナル６４との間が電気的に接続される。
【００２６】
従って、小売店は、一種類のバッテリ、ユニバーサルバッテリプラグ２６、及び二つの実施形態のアダプタプラグ２８を取り扱えばよい。同様に、消費者は、一種類のバッテリ、ユニバーサルバッテリプラグ２６、及び一種類ずつのアダプタプラグ２８を購入すればよい。この方法で、R/C装置がMolex製のバッテリ接続プラグ２２又はTraxxas製のバッテリ接続プラグ２４を有しているかに関わらず、バッテリをR/C装置に接続することができる。一個のバッテリ及びユニバーサルバッテリプラグ２６をもって、何れかの製品に適合するために使用するアダプタ２８の種類を交換するだけで足りる。
【００２７】
ユニバーサルバッテリプラグ２６は、バッテリ（図示せず）のプラスターミナル及びマイナスターミナルを受け入れるように構成されたバッテリ接点７６を備える。バッテリ接点７６は、ユニバーサルターミナル３２と電気的に接続され、且つ好ましくはユニバーサルターミナル３２の一部である。
【００２８】
更なる変形例では、アダプタプラグ２８は、バッテリ接続プラグ２２，２４の雄型導電性接点及び雌型導電性接点６０の組み合わせに適合することができるターミナル開口５８，６８を有する。図１９に示すように、バッテリ接続プラグ２２，２４の変形形態は、雄型導電性接点、及び雌型導電性接点６０の組み合わせを備えている。これら雄型導電性接点、及び雌型導電性接点６０の組み合わせに適合するために、アダプタプラグ２８は、ターミナル開口５８，６８、及びアダプタターミナル３８，６４の組み合わせを有し、適切な雄型導電性接点、及び雌型導電性接点６０の組み合わせに適合するようになっている。当業者であれば、ユニバーサル接点４０、アダプタターミナル３８，６４及びターミナル開口５８，６８の適切な組み合わせは、雄型導電性接点、及び雌型導電性接点６０の組み合わせと互換性があることが分かる。
【００２９】
図２０−２６は、本発明の変形の実施形態を示す。この実施形態では、アダプタプラグ２８は、アダプタハウジング８０と、ユニバーサル接点８２とを備える。ユニバーサル接点は、プラス接点８２aと、マイナス接点８２bを備える。アダプタハウジング８０は、タブ係合コネクタ５６を備える。先の実施形態と同様に、アダプタハウジング８０は、ユニバーサル接点８２と、ユニバーサルバッテリプラグ２６のスロット４２の係合接続によってユニバーサルバッテリプラグ２６に係合するように構成されている。
【００３０】
ユニバーサル接点８２は、細長い部材８３の一端であり、細長い部材８３は、他方の第２の端にアダプタターミナル８４を備える。細長い部材８３の一方は、ユニバーサル接点８２bが対応するアダプタターミナル８４bに対して異なる高さに位置決めするように、段付きオフセット部８６を備える。他方の細長い部材８３は、ユニバーサル接点８２aが対応するアダプタターミナル８４aの平面と直交関係にある平面に配向されるように、回転したオフセット部８８を有する。ユニバーサル接点８２は、アダプタハウジング８０内の接点開口９０を通って延びている。アダプタターミナル８４は、アダプタハウジング８０内のキャビティ９２を通って延び、且つアダプタハウジング８０のターミナル開口９４の近くに配置されている。ターミナル開口９４は、アダプタターミナル８４a及び８４bの向きに整合するために、対応する垂直構成９４a及び水平構成９４bを有する。
【００３１】
本実施形態のアダプタプラグ２８は、米国特許第5,533,915号（Deans）に記載されたバッテリ接続プラグ９６に係合するように構成されている。Deansのバッテリ接続プラグ９６は、二つの導電性接点９８を有する。これらの接点の内の一つの接点９８aは垂直に配向され、他方の接点９８bは水平に配向されている。これらの接点９８の両方は、雄型構成を有する。接点９８は、アダプタハウジング８０の面に形成されたターミナル開口９４と係合する。これらの導電性接点９８は、ターミナル開口９４内に挿入する際に、接点９８がアダプタターミナル８４と電気的に接触するのを保証するための付勢バネ１００を備える。垂直接点９８a及び水平接点９８bは、アダプタハウジング８０のターミナル開口９４の垂直構成９４a及び水平構成９４bと整合するように構成されている。
【００３２】
例示の目的で幾つかの実施形態について詳述したが、 本発明の範囲及び趣旨から逸脱することなく、様々な変形を行うことができる。従って、本発明は、特許請求の範囲のみによって限定される。
【図１】
2012532415.tif 000003
【図２】
2012532415.tif 000004
【図３】
2012532415.tif 000005
【図３Ａ】
2012532415.tif 000006
【図４】
2012532415.tif 000007
【図５】
2012532415.tif 000008
【図６】
2012532415.tif 000009
【図７】
2012532415.tif 000010
【図８】
2012532415.tif 000011
【図９】
2012532415.tif 000012
【図１０】
2012532415.tif 000013
【図１１】
2012532415.tif 000014
【図１２】
2012532415.tif 000015
【図１３】
2012532415.tif 000016
【図１４】
2012532415.tif 000017
【図１５】
2012532415.tif 000018
【図１６】
2012532415.tif 000019
【図１７】
2012532415.tif 000020
【図１８】
2012532415.tif 000021
【図１９】
2012532415.tif 000022
【図２０】
2012532415.tif 000023
【図２１】
2012532415.tif 000024
【図２２】
2012532415.tif 000025
【図２３】
2012532415.tif 000026
【図２４】
2012532415.tif 000027
【図２５】
2012532415.tif 000028
【図２６】
2012532415.tif 000029
【国際調査報告】
2012532415.tif 000030